(57)【要約】【課題】住戸人が一斉放送を聞き逃すことを防ぐ。【解決手段】住戸機４においては、警報監視盤１から伝送される一斉放送用音声信号を記憶部Ｍに記憶している。すなわち、警報監視盤１から伝送される一斉放送用音声信号を記憶部Ｍに記憶し、記憶部Ｍに記憶した一斉放送用音声信号を制御部４０で読み出してスピーカ４１ｂから一斉放送の音声を送出させるので、住戸人の不在時などに行われた一斉放送を住戸人が聞き逃すことを防ぐことができる。【選択図】        図１
2006222887.tif 000002
【特許請求の範囲】
【請求項１】
集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機と、集合住宅の共用部若しくは管理人室に設置され各住戸機とは伝送線路を介して接続されるとともに一部又は全部の住戸機に対して一斉に音声を放送する一斉放送装置とを備えた集合住宅用インターホンシステムに用いられる住戸機であって、共用部装置との間で伝送線路を介した通話を行う通話手段と、伝送線路を介して一斉放送装置から伝送される一斉放送用音声信号を音声に変換して出力する一斉放送発音手段と、一斉放送用音声信号を記憶する一斉放送記憶手段と、一斉放送記憶手段に記憶された一斉放送用音声信号を読み出して一斉放送発音手段から一斉放送の音声を出力させる一斉放送再生手段とを備えたことを特徴とする集合住宅用インターホンシステムの住戸機。
【請求項２】
前記一斉放送発音手段は、一斉放送記憶手段が一斉放送用音声信号を記憶している間は当該一斉放送の音声を出力しないことを特徴とする請求項１記載の集合住宅用インターホンシステムの住戸機。
【請求項３】
共用部装置との通話中に一斉放送装置から一斉放送の開始が知らされたときに一斉放送の開始を報知する一斉放送報知手段を備えたことを特徴とする請求項１又は２記載の集合住宅用インターホンシステムの住戸機。
【請求項４】
前記共用部装置と、請求項１〜３の何れかに記載した複数の前記住戸機と、前記一斉放送装置とを備えたことを特徴とする集合住宅用インターホンシステム。
【請求項５】
前記共用部装置と、請求項３記載の複数の住戸機と、前記一斉放送装置とを備え、住戸機は、伝送線路を介して一斉放送用音声信号の送信を要求する制御信号を伝送する制御信号伝送手段を備え、一斉放送装置は、住戸機に対する一斉放送用音声信号を記憶する記憶手段と、住戸機から伝送線路を介して伝送される制御信号を受信する制御信号受信手段と、制御信号受信手段で一斉放送用音声信号の送信を要求する制御信号を受信したときに記憶手段に記憶されている一斉放送用音声信号を読み出して伝送線路を介して当該要求元の住戸機に対して伝送する一斉放送伝送手段とを備えたことを特徴とする集合住宅用インターホンシステム。
【発明の詳細な説明】
【技術分野】
【０００１】
本発明は、集合住宅の共用玄関に設置された共用部装置と各住戸にそれぞれ設置される住戸機の何れか１台との間で択一的に通信路を確立して通話可能とする集合住宅用インターホンシステムの住戸機及び集合住宅用インターホンシステムに関し、特に共用部装置と１台の住戸機とが一対一で通話する個別通話の他に、集合住宅の共用部や管理人室などに設置された一斉放送装置により複数の住戸機へ音声を一斉に放送することができる集合住宅用インターホンシステムの住戸機及び集合住宅用インターホンシステムに関するものである。
【背景技術】
【０００２】
従来、集合住宅の共用玄関に設置され音声の入出力が可能な共用部装置（ロビーインターホン）と、集合住宅の各住戸にそれぞれ設置され共用部装置とは伝送線路を介して接続されるとともに共用部装置が有する選択手段（テンキーなど）を来訪者が操作することにより選択されると共用部装置との間で通信路を確立する複数台の住戸機（インターホン親機や住宅情報盤など）と、集合住宅の各住戸にそれぞれ設置され住戸機とは通話用の子器接続線を介して接続されるドアホン子器とを備えた集合住宅用インターホンシステムが提供されている（例えば、特許文献１参照）。さらに、集合住宅の共用部若しくは管理人室に設置され各住戸機とは伝送線路を介して接続されるとともに一部又は全部の住戸機に対して一斉に音声を放送する一斉放送装置を備えた集合住宅用インターホンシステムも提供されている。
【特許文献１】特開２００４−８８４１３号公報
【発明の開示】
【発明が解決しようとする課題】
【０００３】
しかしながら、従来システム及び住戸機においては、例えば、住戸人の不在時に一斉放送が行われた場合、当該住戸人が一斉放送を聞き逃してしまうという問題があった。
【０００４】
本発明は上記事情に鑑みて為されたものであり、その目的は、住戸人が一斉放送を聞き逃すことを防ぐことが可能な集合住宅用インターホンシステムの住戸機及び集合住宅用インターホンシステムに関するものである。
【課題を解決するための手段】
【０００５】
請求項１の発明は、上記目的を達成するために、集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機と、集合住宅の共用部若しくは管理人室に設置され各住戸機とは伝送線路を介して接続されるとともに一部又は全部の住戸機に対して一斉に音声を放送する一斉放送装置とを備えた集合住宅用インターホンシステムに用いられる住戸機であって、共用部装置との間で伝送線路を介した通話を行う通話手段と、伝送線路を介して一斉放送装置から伝送される一斉放送用音声信号を音声に変換して出力する一斉放送発音手段と、一斉放送用音声信号を記憶する一斉放送記憶手段と、一斉放送記憶手段に記憶された一斉放送用音声信号を読み出して一斉放送発音手段から一斉放送の音声を出力させる一斉放送再生手段とを備えたことを特徴とする。
【０００６】
請求項２の発明は、請求項１の発明において、前記一斉放送発音手段は、一斉放送記憶手段が一斉放送用音声信号を記憶している間は当該一斉放送の音声を出力しないことを特徴とする。
【０００７】
請求項３の発明は、請求項１又は２の発明において、共用部装置との通話中に一斉放送装置から一斉放送の開始が知らされたときに一斉放送の開始を報知する一斉放送報知手段を備えたことを特徴とする。
【０００８】
請求項４の発明は、上記目的を達成するために、前記共用部装置と、請求項１〜３の何れかに記載した複数の前記住戸機と、前記一斉放送装置とを備えたことを特徴とする。
【０００９】
請求項５の発明は、上記目的を達成するために、前記共用部装置と、請求項３記載の複数の住戸機と、前記一斉放送装置とを備え、住戸機は、伝送線路を介して一斉放送用音声信号の送信を要求する制御信号を伝送する制御信号伝送手段を備え、一斉放送装置は、住戸機に対する一斉放送用音声信号を記憶する記憶手段と、住戸機から伝送線路を介して伝送される制御信号を受信する制御信号受信手段と、制御信号受信手段で一斉放送用音声信号の送信を要求する制御信号を受信したときに記憶手段に記憶されている一斉放送用音声信号を読み出して伝送線路を介して当該要求元の住戸機に対して伝送する一斉放送伝送手段とを備えたことを特徴とする。
【発明の効果】
【００１０】
請求項１の発明によれば、一斉放送装置から伝送される一斉放送用音声信号を一斉放送記憶手段に記憶し、一斉放送記憶手段に記憶した一斉放送用音声信号を一斉放送再生手段で読み出して一斉放送発音手段から一斉放送の音声を出力させるので、住戸人の不在時などに行われた一斉放送を住戸人が聞き逃すことを防ぐことができる。
【００１１】
請求項２の発明によれば、請求項１の発明の効果に加えて、一斉放送の音声が不用意に出力されることで住戸人の睡眠を妨げるといった不具合を防ぐことができる。
【００１２】
請求項３の発明によれば、請求項１又は２の発明の効果に加えて、一斉放送報知手段により一斉放送の開始が住戸人に報知されるので、共用部装置との通話が終わった後で住戸人が一斉放送を聞くように注意を喚起することができ、一斉放送を住戸人が聞き逃すことを確実に防ぐことができる。
【００１３】
請求項４の発明によれば、住戸人の不在時などに行われた一斉放送を住戸人が聞き逃すことを防ぐことが可能な集合住宅用インターホンシステムが提供できる。
【００１４】
請求項５の発明によれば、共用部装置との通話が終わった後で一斉放送装置から住戸機へ一斉放送用音声信号を送信させて一斉放送を聞くことができ、一斉放送を住戸人が聞き逃すことを確実に防ぐことができる。
【発明を実施するための最良の形態】
【００１５】
以下、図面を参照して本発明の実施形態を詳細に説明する。
【００１６】
本実施形態のシステム構成例を図２に示す。本実施形態では、集合住宅の共用玄関に設置される共用部装置（ロビーインターホン）２と、各住戸にそれぞれ設置される複数台（図示は１台のみ）の住戸機４とを備え、ロビーインターホン２と住戸機４とがそれぞれ伝送線路を介して接続されている。伝送線路は、ロビーインターホン２に接続される幹線Ｌ１と、各住戸機４にそれぞれ接続される住戸別線Ｌ２とを含み、さらに集合住宅の管理人室に設置された警報監視盤１が幹線Ｌ１に接続される。この伝送線路としては、３対以上のペア線をシース内に備える多対ツイストペアケーブルを用いており、図示は省略するがロビーインターホン２と住戸機４との間で音声信号を伝送する通話線Ｌａと、ロビーインターホン２が具備するカメラ２６で撮像された映像信号を伝送する映像線Ｌｂと、ロビーインターホン２が有する選択手段（後述する）により選択された住戸機４を指定する制御信号を伝送する制御線Ｌｃとにそれぞれペア線を用いている。つまり、図示例の伝送線路では３対のペア線を用いている。ここで、映像線Ｌｂを介して伝送される映像信号はロビーインターホン２において周波数変調され、後述するように各住戸機４に設けた映像処理部４３で周波数復調されてモニタ部４５に表示される。
【００１７】
図３に示すようにロビーインターホン２は、音声を入出力するマイクロホン２４ａ及びスピーカ２４ｂと、通話線Ｌａを介して住戸機４から伝送される音声信号を信号処理してスピーカ２４ｂに出力するとともにマイクロホン２４ａから入力する音声信号を信号処理して通話線Ｌａに送出することでハンズフリー通話を実現する通話処理部２５と、来訪者を撮像するカメラ２６と、カメラ２６が出力する映像信号を周波数変調して映像線Ｌｂを介して伝送する映像処理部２７と、住戸番号を指定するための番号キーや呼出釦を有する操作スイッチ部２２と、操作スイッチ部２２で指定された住戸番号等を表示する表示部２３と、操作スイッチ部２２の操作を報知するための報知音や後述する報知メッセージを生成してスピーカ２４ｂへ出力する報知音生成部２９と、ＣＰＵを主構成要素とし上記各部の動作を制御する制御部２０と、制御部２０と制御線Ｌｃのインタフェースを行う伝送送受信部２１と、マイクロホン２４ａから出力する音声信号を増幅する増幅器Ａ１と、スピーカ２４ｂへ出力する音声信号を増幅する増幅器Ａ２とを備えている。つまり、来訪者が選択手段である操作スイッチ部２２の番号キーを操作して訪問先の住戸番号を選択した後に呼出釦を操作すると住戸番号に対応する住戸機２を選択したことになる。ここで、ロビーインターホン２には通話線Ｌａ及び制御線Ｌｃを介して警報監視盤１が接続されており、ロビーインターホン２で選択された住戸番号が制御線Ｌｃを介して警報監視盤１に伝送されると、警報監視盤１が当該住戸番号に対応する住戸機４に対して呼出元のロビーインターホン２に割り当てられている固有のアドレスを付加した制御信号（呼出コマンド）を制御線Ｌｃを介して送出する。
【００１８】
一方、住戸機４は、図１に示すように音声を入出力するマイクロホン４１ａ及びスピーカ４１ｂを備え、マイクロホン４１ａとスピーカ４１ｂとはそれぞれ通話処理部４２に接続されている。また、通話処理部４２には受話側並びに送話側の各伝送経路と２線の通話線Ｌａとを２線４線変換する２線４線変換部（図示せず）が接続されている。通話処理部４２は、通話線Ｌａを介して伝送されてくる音声信号（受話信号）とマイクロホン４１ａから出力される音声信号（送話信号）のレベルを比較することで通話状態（受話状態又は送話状態）を推定し、受話状態と推定したときには送話信号の伝送経路に損失を挿入し、送話状態と推定したときには受話信号の伝送経路に損失を挿入することで受話モードと送話モードを切り換える音声スイッチや、マイクロホン４１ａとスピーカ４１ｂの音響結合によって生じる音響エコーを消去するためのエコーキャンセラなどを具備する。但し、このような音声スイッチやエコーキャンセラは従来周知であるから詳細な構成及び動作の図示並びに説明は省略する。したがって、ロビーインターホン２と住戸機４との間で通話線Ｌａを通して音声信号を授受することができ、来訪者がロビーインターホン２を用いるとともに居住者が住戸機４を用いることによって、来訪者と居住者との間で音声通話が可能となる。
【００１９】
また住戸機４には、住戸別線Ｌ２の通話線Ｌａと映像線Ｌｂをそれぞれ通話信号（受話信号及び送話信号）の伝送経路（以下、「通話路」と呼ぶ。）と映像信号の伝送経路に分離する幹線インタフェース（図示せず）が設けられている。映像信号の伝送経路は映像処理部４３に接続され、通話路は通話処理部４２と子器インタフェース部４４とに択一的に切換接続される。子器インタフェース部４４には子器接続線Ｌ３を介してドアホン子器３が接続される。ドアホン子器３は集合住宅の各住戸の玄関先に配置されるものであってマイクロホン及びスピーカを備え、子器インタフェース部４４はドアホン子器３との通話のための音声双方向増幅回路や通話路を接続するための開閉路回路などを備える。したがって、通話路が子器インタフェース部４４に接続されている状態ではドアホン子器３と住戸機４との間での通話が可能になっている。また、ドアホン子器３にはテレビカメラが設けられ、子器インタフェース部４４では子器接続線Ｌ３を介して伝送される音声信号と映像信号を分離し、分離した映像信号を映像処理部４３に出力してモニタ部４５に表示することができるようになっている。さらにドアホン子器３には呼出釦が設けられ、呼出釦が操作されたときに子器接続線Ｌ３に呼出信号を送出する機能を有し、住戸機４では呼出信号を検出したときに報知音生成部４６で生成された呼出音がスピーカ４１ｂから送出されるようになっている。
【００２０】
住戸機４において、モニタ部４５には液晶表示器が用いられる。映像線Ｌｂを通して住戸機４に入力される映像信号は、幹線インタフェースで平衡−不平衡変換され、さらに増幅器で増幅された後に映像処理部４３において周波数復調される。また、子器接続線Ｌ３を通して住戸機４に入力される映像信号も、子器インタフェース部４４で平衡−不平衡変換され、さらに増幅器で増幅された後に映像処理部４３において周波数復調される。そして、映像処理部４３から出力された映像信号は、モニタ部４５に入力されることによってモニタ部４５の画面に映像を表示する。つまり、ロビーインターホン２やドアホン子器３のカメラにおいて撮像された来訪者の映像が住戸機４のモニタ部４５に表示されるから、住戸内の居住者が来訪者を確認することができるのである。また報知音生成部４６は、ロビーインターホン２やドアホン子器３からの呼出等を報知するための報知音を生成し、生成した報知音をスピーカ４１ｂに出力するとともに当該報知音をバックトーンとして住戸別線Ｌ２又は子器接続線Ｌ３にも出力する。
【００２１】
住戸機４には、ＣＰＵを主構成要素とし内部回路を制御する制御部４０が設けられ、制御部４０には制御線Ｌｃとのインタフェースとなる伝送送受信部４７が接続される。伝送送受信部４７は、制御部４０から出力された制御信号を制御線Ｌｃに送出し、制御線Ｌｃから受信した制御信号を制御部４０に引き渡す機能を有する。また住戸機４には、呼出に応答する際に操作される応答釦４８ｂ等を含む操作スイッチ部４８ａと、操作スイッチ部４８ａの操作に応じた操作入力を制御部４０に入力するスイッチ入力部４８ｂとが設けられる。さらに住戸機４には、住戸内に設置される種々のセキュリティセンサ（火災感知器やガス漏れ感知器など）Ｓと制御部４０とのインタフェースとなるセンサ入力部４９が設けられている。つまり、住戸機４においては、セキュリティセンサＳから火災やガス漏れ等の異常発生を知らせるセンサ信号がセンサ入力部４９を通じて制御部４０に入力されると、制御部４０が報知音生成部４６に対して異常発生を報知するための警報音や警報メッセージを生成させてスピーカ４１ｂから送出させるとともに、伝送送受信部４７から制御線Ｌｃを介して警報監視盤１に異常発生を報知するための制御信号を送信させ、警報監視盤１においても異常発生の警報を行うように構成されている。尚、このように通話機能とセキュリティ機能を有した住戸機４は特に住宅情報盤と呼ばれる。
【００２２】
ところで、住戸別線Ｌ２は幹線Ｌ１から分岐されているため、ロビーインターホン２から警報監視盤１を介して送出された制御信号は制御線Ｌｃに接続されるすべての住戸機４に伝送される。ここに、住戸機４の制御部４０には個別にアドレス（たとえば、住戸番号）が設定されており、ロビーインターホン２において住戸機４のアドレスを選択することによって、住戸機４のアドレスを指定する制御信号（呼出コマンド）が警報監視盤１から制御線Ｌｃを介して全ての住戸機４に伝送することが可能になっている。住戸機４の制御部４０は、制御信号に含まれるアドレスが自己のアドレスであれば映像処理部４３やモニタ部４５を起動してロビーインターホン２のカメラにおいて撮像された来訪者の映像を住戸機４のモニタ部４５に表示させるとともに、報知音生成部４６に生成させた報知音（呼出音）をスピーカ４１ｂから送出させる。そして、呼出音に応じて居住者が住戸機４の操作スイッチ部４８ａに設けられている応答釦４８ｂ（図２参照）を押操作すれば、制御部４０が通話線Ｌａに接続された通話路を通話処理部４２に接続してロビーインターホン２との間に通信路を確立することにより、ロビーインターホン２と選択された住戸機４との間でのみ通話可能にすることができるとともに、選択された住戸機４でのみカメラで撮像された来訪者をモニタ部４５に表示することが可能になる。尚、ロビーインターホン２において選択された住戸機４がロビーインターホン２との間で通信路を確立している状態は、ロビーインターホン２または住戸機４において適宜の操作釦を用いた通話終了が検出されると終了する。
【００２３】
また、ドアホン子器３の呼出釦が押操作されて子器接続線Ｌ３に呼出信号が送出されると、呼出信号を検出した住戸機４の制御部４０が映像処理部４３やモニタ部４５を起動してドアホン子器３のカメラにおいて撮像された来訪者の映像を住戸機４のモニタ部４５に表示させるとともに、報知音生成部４６に生成させた報知音（呼出音）をスピーカ４１ｂから送出させる。そして、呼出音に応じて居住者が住戸機４の応答釦４８ｂを押操作すれば、制御部４０が通話路を子器インタフェース部１８に接続する状態に切り換えてドアホン子器３との間に通信路を確立することにより、ドアホン子器３と住戸機４との間で通話可能にすることができるとともカメラで撮像された来訪者をモニタ部４５に表示することが可能になる。
【００２４】
警報監視盤１は集合住宅の管理人室に設置されるものであって、図４に示すようにハンドセット（図示せず）を用いて通話するための通話部１４と、住戸機４の住戸番号を入力するための番号キー等を有する操作部１２と、住戸機４における異常発生を報知するための警報音や警報メッセージを生成してスピーカ（図示せず）から送出する警報音生成部１５と、操作部１２で指定された住戸番号等を表示する表示部１３と、ＣＰＵを主構成要素とし上記各部の動作を制御する制御部１０と、制御部１０と制御線Ｌｃのインタフェースを行う伝送送受信部１１と、後述するように一斉放送用音声信号を記憶する記憶部１６とが設けられ、通話線Ｌａを介して各住戸機４との間で通話並びに一斉放送を行う機能や、制御線Ｌｃを介して住戸機４から伝送される異常発生を報知するための制御信号を受信して警報を発する機能等を有している。すなわち、本実施形態においては警報監視盤１が一斉放送装置に相当する。例えば、管理人が操作部１２を操作して住戸番号を入力した後に通話部１４のハンドセットを持ち上げてオフフックすると、入力された住戸番号に対応する住戸機４に対して制御部１０が制御信号（呼出コマンド）を生成し、伝送送受信部１１から制御線Ｌｃに送出させ、上述したロビーインターホン２と住戸機４との通話時と同様に、選択された住戸機４と警報監視盤１との間でのみ通話線Ｌａを介した通話が可能となる。また、一斉放送とは、警報監視盤１から複数台（全て若しくは一部）の住戸機４に対して音声信号を伝送することであって、各住戸への緊急性を有しない連絡や避難誘導などの緊急連絡を目的に行われる。例えば、警報監視盤１から全ての住戸機４に対して一斉放送を行う場合、警報監視盤１から一斉放送の開始を指示する制御信号（一斉放送開始コマンド）が制御線Ｌｃを介して各住戸機４に送信され、この制御信号を受信した各住戸機４では、一斉放送開始コマンドを応じて制御部４０が通話線Ｌａに接続された通話路を通話処理部４２に接続することで警報監視盤１との間に通信路が確立され、警報監視盤１から送出される一斉放送の音声信号が通話線Ｌａを介して各住戸機４に伝送され、スピーカ４１ｂから一斉放送の音声が送出される。また、一斉放送の終了時には警報監視盤１から制御信号（一斉放送終了コマンド）が信号線Ｌｃを介して各住戸機４に伝送され、住戸機４の制御部４０では一斉放送終了コマンドを受け取ると通信路を開放して待機状態に戻る。すなわち、本実施形態においては通話のためのスピーカ４１ｂが一斉放送発音手段に兼用されている。
【００２５】
ここで住戸機４においては、警報監視盤１から行われる一斉放送の音声信号（以下、「一斉放送用音声信号」と呼ぶ。）を書換可能な不揮発性メモリ（フラッシュメモリなど）からなる記憶部Ｍに記憶している。すなわち、通話線Ｌａを介して伝送される一斉放送用音声信号を図示しないＡ／Ｄ変換器でディジタル信号に変換した後に制御部４０でＡＤＰＣＭ（Adaptive Differential Pulse Code Moudulation）などの周知の圧縮方法により圧縮し、圧縮したデータ（一斉放送データ）を記憶部Ｍに書き込んで記憶（録音）するのである。また記憶部Ｍに記憶した一斉放送を再生するには、制御部４０が記憶部Ｍに記憶されている一斉放送データを読み出して伸長処理を行った後、図示しないＤ／Ａ変換器でアナログ信号（一斉放送用音声信号）に変換してスピーカ２４ｂから一斉放送の音声を送出するのである。つまり、本実施形態では制御部４０が一斉放送再生手段に相当する。従って、本実施形態では、警報監視盤１から伝送される一斉放送用音声信号を記憶部Ｍに記憶し、記憶部Ｍに記憶した一斉放送用音声信号を制御部４０で読み出してスピーカ４１ｂから一斉放送の音声を送出させるので、住戸人の不在時などに行われた一斉放送を住戸人が聞き逃すことを防ぐことができる。尚、住戸機４の制御部４０では、一斉放送用音声信号を受信したときにスピーカ４１ｂから一斉放送の音声を送出させると同時に記憶部Ｍに記憶（録音）する有音放送モード、並びに一斉放送の音声をスピーカ４１ｂから送出させずに記憶部Ｍへの記憶（録音）のみを行う無音放送モードの２つの一斉放送モードが操作スイッチ部４８ａの操作によって択一的に選択可能となっており、無音放送モードを選択すれば、一斉放送の音声が不用意に出力されることで住戸人の睡眠を妨げるといった不具合を防ぐことができる。但し、一斉放送開始コマンドで避難誘導などの緊急連絡であることが通知されている場合は強制的に有音放送モードに設定される。
【００２６】
而して、住戸人が不在のときに住戸機４の制御部４０が警報監視盤１から一斉放送開始コマンドを受け取ると、警報監視盤１との間で通話線Ｌａを介した通信路を確立した後に予め設定されている一斉放送モード（有音放送モード又は無音放送モード）に従って一斉放送の音声をスピーカ４１ｂから送出し又は送出せずに一斉放送用音声信号を記憶部Ｍに記憶し、一斉放送終了コマンドを受け取って録音を終了した後は録音された一斉放送が有る旨の表示をモニタ部４５の画面に表示させる。また、住戸人が住戸機４でロビーインターホン２と通話しているときに住戸機４の制御部４０が警報監視盤１から一斉放送開始コマンドを受け取った場合、警報監視盤１との間では通話線Ｌａを介した通信路を確立することができないので、警報監視盤１から一斉放送の開始が知らされた旨の表示をモニタ部４５の画面に表示させる。一方、警報監視盤１では、ハンドセットから入力される一斉放送用音声信号を図示しないＡ／Ｄ変換器でディジタル信号に変換した後に制御部１０がＡＤＰＣＭなどの周知の圧縮方法により圧縮し、圧縮したデータ（一斉放送データ）を記憶部１６に書き込んで記憶（録音）する。そして、ロビーインターホン２との通話を終了した住戸機４から警報監視盤１に対して一斉放送の伝送を要求する制御信号が伝送されると、警報監視盤１の制御部１０では記憶部１６に記憶されている一斉放送データを読み出して伸長処理を行った後、図示しないＤ／Ａ変換器でアナログ信号（一斉放送用音声信号）に変換して通話線Ｌａに送出する。一方、一斉放送の伝送を要求した住戸機４では、制御部４０が警報監視盤１との通信路を確立し通話線Ｌａを介して伝送される一斉放送用音声信号を受信してスピーカ４１ｂから一斉放送の音声を送出させる。つまり、本実施形態では住戸機４の制御部４０並びにモニタ部４５が一斉放送報知手段に相当し、警報監視盤１の制御部１０が一斉放送伝送手段に相当する。
【００２７】
上述のように住戸機４がロビーインターホン２と通話しているときに一斉放送が行われた場合、通話中の住戸機４では一斉放送の開始を通知する文字（例えば、「一斉放送」）などがモニタ部４５の画面に表示されるため、通話が終わった後で住戸人が一斉放送を聞くように注意を喚起することができ、一斉放送を住戸人が聞き逃すことを確実に防ぐことができる。但し、本実施形態ではロビーインターホン２と住戸機４との通話に使用する通話線Ｌａを利用して一斉放送を行っているが、通話線Ｌａとは別に一斉放送用の専用線で警報監視盤１と各住戸機４とを接続してもよく、一斉放送用の専用線を設けた場合であればロビーインターホン２との通話中においても住戸機４で一斉放送用音声信号を記憶部Ｍに記憶することが可能である。また、一斉放送の内容が緊急連絡であれば、一斉放送開始コマンドを受信した時点で住戸機４の制御部４０は直ちにロビーインターホン２との通話を強制終了して一斉放送用音声信号を受信することは言うまでもない。
【図面の簡単な説明】
【００２８】
【図１】本発明に係る住戸機の実施形態を示すブロック図である。
【図２】本発明に係る集合住宅用インターホンシステムの実施形態を示すシステム構成図である。
【図３】同上におけるロビーインターホン（共用部装置）のブロック図である。
【図４】同上における警報監視盤のブロック図である。
【符号の説明】
【００２９】
１  警報監視盤
４  住戸機
４０  制御部
４１ｂ  スピーカ
Ｍ  記憶部
【図１】
2006222887.tif 000003
【図２】
2006222887.tif 000004
【図３】
2006222887.tif 000005
【図４】
2006222887.tif 000006